(57)【特許請求の範囲】
【請求項１】
充電対象である電子機器と、この電子機器を充電する充電器と、を備えた充電システムであって、
前記電子機器の外表面上に、前記充電器から電力の供給を受ける電子機器側接点と前記充電器側の充電端子に係合する電子機器側係合部とを有する電子機器側充電端子を設け、
前記充電器は、前記電子機器を載置する平坦な載置面を備えると共に、この載置面上に、前記電子機器側接点と接続して電力を供給する充電器側接点と前記電子機器側係合部に係合する充電器側係合部とを有する充電器側充電端子を設け、当該充電器側充電端子を、前記載置面上における配置位置を変更可能なよう前記充電器に設け、
前記充電器の前記載置面上に、前記充電器側充電端子を収容して配置する収容部を複数設けた、
ことを特徴とする充電システム。
【請求項２】
前記電子機器側係合部と前記充電器側係合部とは、相互に嵌合する嵌合部をそれぞれ有する、
ことを特徴とする請求項１記載の充電システム。
【請求項３】
前記電子機器側係合部あるいは前記充電器側係合部の一方のみが、前記電子機器の外表面あるいは前記充電器の載置面から突出して形成されている、
ことを特徴とする請求項１又は２記載の充電システム。
【請求項４】
前記電子機器側充電端子上に、前記電子機器側係合部を分割して設けると共に、当該電子機器側係合部の間に前記電子機器側接点を配置し、
前記電子機器側充電端子の形状に対応して、前記充電器側充電端子上に、前記充電器側係合部を分割して設けると共に、当該充電器側係合部の間に前記充電器側接点を配置した、
ことを特徴とする請求項１，２又は３記載の充電システム。
【請求項５】
充電対象である電子機器を充電する充電器であって、
前記電子機器の外表面上に、前記充電器から電力の供給を受ける電子機器側接点と前記充電器側の充電端子に係合する電子機器側係合部とを有する電子機器側充電端子が設けられている場合に、
前記電子機器を載置する平坦な載置面を備えると共に、この載置面上に、前記電子機器側接点と接続して電力を供給する充電器側接点と前記電子機器側係合部に係合する充電器側係合部とを有する充電器側充電端子を設け、当該充電器側充電端子を、前記載置面上における配置位置を変更可能なよう設け、
前記載置面上に、前記充電器側充電端子を収容して配置する収容部を複数設けた、
ことを特徴とする充電器。
【請求項６】
前記充電器側係合部は、前記電子機器側係合部と嵌合する嵌合部を有する、
ことを特徴とする請求項５記載の充電器。
【発明の詳細な説明】
【技術分野】
【０００１】
本発明は、充電システムにかかり、特に、電子機器を充電する充電システムに関する。
【背景技術】
【０００２】
携帯電話などの電子機器は、持ち歩いて利用するためにバッテリを装備しており、このバッテリを充電することが必要となる。このため、電子機器には、充電器と接続する充電端子が設けられている。そして、電子機器の充電端子に接続して給電する充電器は、充電中の電子機器を保持するよう形成されており、一般的に卓上ホルダと呼ばれている。ここで、図９（ａ），（ｂ），（ｃ），（ｄ）に、携帯電話の充電器である卓上ホルダの構成及び当該卓上ホルダに携帯電話を装着するときの動作を示す。
【０００３】
図９の各図に示す各卓上ホルダは、それぞれ携帯電話を保持するための凹部が形成されており、各凹部は、携帯電話を、縦、横、平ら、斜め、というように、種々の姿勢で保持するよう構成されている。また、携帯電話を載置する凹部内には、携帯電話と接続する充電端子が形成されている。さらに、凹部内には、携帯電話を固定保持する嵌合爪などの係合部が形成されている。そして、これに対応して、携帯電話には、充電端子と、上記嵌合爪などに係合する係合部が形成されている。このため、図９の各図の矢印に示すように、各凹部の形状や充電端子、嵌合爪などの形状に応じて、それぞれ携帯電話の装着時の方向が決められている。
【０００４】
【特許文献１】特開２００２−１２５３２３号公報
【特許文献２】特開２００５−６４４０号公報
【特許文献３】特開２００２−１７０６４３号公報
【発明の開示】
【発明が解決しようとする課題】
【０００５】
一方、上述した図９に示すような携帯電話の充電システムは、充電端子が各機種に専用であり、上述したように、充電端子の接続方法が機種毎に固有である。また、卓上ホルダの携帯電話収容部が携帯電話毎の形状を取っているため、各機種に専用のものとなっている。このため、卓上ホルダを共用することができず、それぞれの機種にあった卓上ホルダ（充電器）を製造する必要があり、コストが増大する、という問題があった。さらには、図９の矢印に示すように、各携帯電話を卓上ホルダに装着する際に、位置合わせを行って装着を行い、また、その装着動作にも注意する必要があり、ユーザの手間がかかる、という問題があった。
【０００６】
ここで、上記問題点を有する充電システムの一例を、特許文献１に示す。この充電システムでは、充電器に形成されたフックやロック片に対応したスリットや凹部を携帯電話側に形成する必要があり、汎用性がない。また、携帯電話を充電器に装着する際に、フックやロック片に、携帯電話側のスリットや凹部を正確に位置合わせして、所定の方向に移動させて装着する必要があり、ユーザに手間が生じていた。
【０００７】
一方で、特許文献２には、各製造メーカで統一の規格として設定された端子を有する変換コネクタが開示されている。このような変換コネクタを用いることで、あらゆる充電器を接続することができる。しかしながら、特許文献２に開示のように変換コネクタを用いる場合には、使用時に携帯電話本体に変換コネクタを接続し、さらに、充電用のケーブルを接続しなくてはならないため、上述した卓上ホルダに載置するといった操作よりも手間がかかり、ユーザの利便性の向上を図ることができない。
【０００８】
また、携帯電話の充電器に関連する技術として、特許文献３がある。この文献では、充電シートに一次コイルを内蔵し、携帯電話は、充電シートの一次コイルとの相互誘導によって誘導起電力を発生可能な二次コイルとバッテリとを備えた構成を採っている。しかしながら、誘導起電力を利用して充電を行う構成では、携帯電話側の構成を変更する必要があるため、あらゆる携帯電話の対応が困難であり、依然として汎用性の向上を図ることができない。また、充電端子が直接に接触する場合と比較して充電効率が低下し、省電力化を図ることができない。
【０００９】
このため、本発明では、上記不都合を改善し、特に、電子機器と充電器との接続操作が容易であり、ユーザの利便性の向上を図ると共に、充電器の汎用性の向上により低コスト化を図ることができる充電システムを提供することをその目的とする。
【課題を解決するための手段】
【００１０】
そこで、本発明の一形態である充電システムは、充電対象である電子機器と、この電子機器を充電する充電器と、を備え、電子機器の外表面上に、充電器から電力の供給を受ける電子機器側接点と充電器側の充電端子に係合する電子機器側係合部とを有する電子機器側充電端子を設け、充電器は、電子機器を載置する平坦な載置面を備えると共に、この載置面上に、電子機器側接点と接続して電力を供給する充電器側接点と電子機器側係合部に係合する充電器側係合部とを有する充電器側充電端子を設けた、という構成を採る。
【発明の効果】
【００１１】
本発明は、以上のように構成されるため、これによると、携帯電話を充電する際に、充電器の平坦な載置面上に形成された充電端子に、携帯電話の充電端子の位置を合わせて、当該携帯電話を載置面に載置することで、充電を行うことができる。従って、充電時における接続操作が容易であり、ユーザの利便性の向上を図ることができる。また、携帯電話を載置する載置面が平坦であるため、あらゆる形状の携帯電話を充電することに対応できる。その結果、充電器の汎用性が向上し、低コスト化を図ることができる、という従来にない優れた効果を有する。
【発明を実施するための最良の形態】
【００１２】
本発明の一形態である充電システムは、充電対象である電子機器と、この電子機器を充電する充電器と、を備えた充電システムである。
【００１３】
そして、本発明では、電子機器の外表面上に、充電器から電力の供給を受ける電子機器側接点と充電器側の充電端子に係合する電子機器側係合部とを有する電子機器側充電端子を設け、充電器は、電子機器を載置する平坦な載置面を備えると共に、この載置面上に、電子機器側接点と接続して電力を供給する充電器側接点と電子機器側係合部に係合する充電器側係合部とを有する充電器側充電端子を設けた、という構成を採る。
【００１４】
これにより、携帯電話を充電する際には、充電器の平坦な載置面上に形成された充電端子に、携帯電話の充電端子の位置を合わせて、当該携帯電話を載置面に載置する。これにより、各充電端子に設けられた各係合部が係合されることで、各接点が接続されて、充電が行われる。このとき、携帯電話を載置する載置面が平坦であるため、あらゆる形状の携帯電話を充電することに対応できる。従って、充電時における接続操作の容易であり、ユーザの利便性の向上を図ることができると共に、充電器の汎用性が向上し、低コスト化を図ることができる。
【００１５】
また、本発明では、電子機器側係合部と充電器側係合部とは、相互に嵌合する嵌合部をそれぞれ有する、という構成を採る。これにより、両係合部が嵌合して係合するため、両充電端子を容易に固定することができ、両接点をより確実に接触させることができる。従って、充電の信頼性の向上を図ることができる。
【００１６】
また、本発明では、電子機器側係合部あるいは充電器側係合部の一方のみが、電子機器の外表面あるいは充電器の載置面から突出して形成されている、という構成を採る。これにより、必要な一方の係合部のみを電子機器あるいは充電器の表面から突出させることで、充電端子間の係合を実現することができ、他方の充電端子の係合部は、電子機器の外表面や充電器の載置面から突出させる必要がない。従って、充電端子間の確実な係合を実現しつつ、デザイン性の向上を図ることができる。
【００１７】
また、本発明では、電子機器側充電端子上に、電子機器側係合部を分割して設けると共に、当該電子機器側係合部の間に電子機器側接点を配置し、電子機器側充電端子の形状に対応して、充電器側充電端子上に、充電器側係合部を分割して設けると共に、当該充電器側係合部の間に充電器側接点を配置した、という構成を採る。これにより、充電端子毎に分割して複数形成された係合部が相互に係合することで、各係合部の間に位置する接点間の接触がより確実に行われる。
【００１８】
また、本発明では、充電器側充電端子を、載置面上における配置位置を変更可能なよう充電器に設けた、という構成を採る。また、載置面上に、充電器側充電端子を収容して配置する収容部を複数設けた、という構成を採る。これにより、電子機器の充電端子がいかなる位置にあったとしても、その位置に応じて充電器側の充電端子の載置面上における位置を変更して配置することができる。特に、載置面上に収容部を複数設け、電子機器の充電端子の位置に応じて特定の収容部に充電端子を収容して配置することで、簡易な構成で充電器側充電端子の位置を変更することができる。従って、充電器の汎用性が向上し、コストを削減できる。
【００１９】
また、本発明の他の形態である充電器は、充電対象である電子機器の外表面上に、充電器から電力の供給を受ける電子機器側接点と充電器側の充電端子に係合する電子機器側係合部とを有する電子機器側充電端子が設けられている場合に、電子機器を載置する平坦な載置面を備えると共に、この載置面上に、電子機器側接点と接続して電力を供給する充電器側接点と電子機器側係合部に係合する充電器側係合部とを有する充電器側充電端子を設けた、という構成を採る。また、本発明では、充電器側係合部は、電子機器側係合部と嵌合する嵌合部を有する、という構成を採る。また、本発明では、充電器側充電端子を、載置面上における配置位置を変更可能なよう設けた、という構成を採る。さらに、本発明では、載置面上に、充電器側充電端子を収容して配置する収容部を複数設けた、という構成を採る。
【００２０】
また、本発明の他の形態である電子機器は、充電器によって充電可能な電子機器であって、充電器は、電子機器を載置する平坦な載置面を備え、この載置面上に、電子機器に対して電力を供給する充電器側接点と電子機器の充電端子に係合する充電器側係合部とを有する充電器側充電端子が設けられている場合に、電子機器の外表面上に、充電器側接点から電力の供給を受ける電子機器側接点と充電器側係合部に係合する電子機器側係合部とを有する電子機器側充電端子を設けた、という構成を採る。また、電子機器側係合部は、充電器側係合部と嵌合する嵌合部を有する、という構成を採る。
【００２１】
以下、実施例にて、本発明の具体的な構成及び動作を説明する。なお、以下では、充電対象である電子機器として携帯電話を一例に挙げて説明するが、電子機器は携帯電話に限定されない。つまり、本発明における電子機器は、ＰＤＡやゲーム機、電子辞書など、いかなる電子機器であってもよい。
【実施例１】
【００２２】
本発明の第１の実施例を、図１乃至図６を参照して説明する。図１は、携帯電話の構成を示す図であり、図２乃至図３は、充電器の構成を示す図である。図４は、携帯電話と充電器とが係合する部分の構造を示す図である。図５乃至図６は、充電するときの様子を示す図である。
【００２３】
［構成］
まず、図１を参照して、充電対象となる携帯電話１の構成について説明する。図１（ａ）に示すように、本実施例における携帯電話１は、一方の筐体１０と他方の筐体２０とがヒンジなどで回動するよう係合された折り畳み式の携帯電話である。例えば、他方の筐体２０は、表示部を備え使用時に上側に位置する筐体であり、一方の筐体１０は、テンキーなどの操作部を備え使用時に下側に位置する筐体である。
【００２４】
そして、一方の筐体１０は、その端部（下端側）に、パソコンなどと接続可能な端子であるＩ／Ｏコネクタ１１を備えている。また、一方の筐体１０は、その外表面、つまり、使用時に携帯電話１の背面側となる表面に、携帯電話側充電端子１２（電子機器側充電端子）を備えている。この携帯電話側充電端子１２は、一方の筐体１０の外表面から突出せず、当該外表面上にほぼ平坦に形成されている。そして、図１（ｂ）の拡大図に示すように、携帯電話側充電端子１２は、その両端に、後述する充電器側充電端子４２に形成された係合部４３と係合する携帯電話側の係合部１３（電子機器側係合部（嵌合部））をそれぞれ備えている。なお、係合部１３の構成については後述するが、相互に向かい合わせて接触させることで、嵌合して固着するよう構成となっている。また、携帯電話側充電端子１２は、両端に設けられた各係合部１３の間に、３本の帯状の露出する金属接点１４（電子機器側接点）を備えている。この金属接点１４は、後述するように、充電器側金属接点４４と接触して、充電器３から電力の供給を受ける接点となる。なお、携帯電話側充電端子１２の形状は上記形状に限定されない。例えば、電子機器側係合部１３は、上述したように充電端子１２上の両端に分割して形成されていることに限定されず、さらに多くの箇所に分割して形成されていてもよく、あるいは、一箇所に形成されていてもよい。
【００２５】
次に、上記携帯電話１に対して充電する充電器の構成について、図２乃至図３を参照して説明する。まず、図２（ａ）に示すように、充電器３は、主に充電中の携帯電話１を載置するためのほぼ平坦な載置面３０ａを有する略長方形状の板状の充電器本体部３０を有する。そして、この充電器本体部３０には、例えば一隅付近に、円柱状の貫通孔３１（収容部）が形成されている。この貫通孔３１には、図２（ｂ）に示すように、充電端子４２が形成された充電端子部４０が収容される。そして、充電端子部４０の上面には充電器側充電端子４２が形成されているが、充電端子部４０が貫通孔３１に収容されたときに、充電器側充電端子４２が載置面３０ａ上、つまり、載置面３０ａとほぼ平坦な面上に位置するよう構成されている。なお、充電器本体部３０に形成された貫通孔３１は、上記形状及び位置に形成されることに限定されない。また、充電端子部４０を収容する部分は貫通孔３１であることに限定されず、充電端子部４０を収容して、収容時に充電端子部４０が載置面３０ａとほぼ平坦に位置する凹部などによって形成されていてもよい。
【００２６】
続いて、充電端子部４０の構成を、図３を参照して説明する。充電端子部４０は、図３（ａ）に示すように、充電器本体部３に形成された貫通孔３１に対応した略円柱状の充電端子本体部４１を有している。そして、充電端子本体部４１の一端面に、充電器側充電端子４２（充電器側充電端子）を備えており、他端面側に、電源と接続される電源ケーブル４１ａを備えている。上記充電器側充電端子４２は、上述したように、上記充電器本体部３０の貫通孔３１に収容されたときに、載置面３０ａとほぼ平坦に位置する。そして、この充電器側充電端子４２は、図３（ｂ）の拡大図に示すように、その両端に、上述した携帯電話側充電端子１２に形成された係合部１３と係合する充電器側の係合部４３（充電器側係合部（嵌合部））をそれぞれ備えている。また、充電器側充電端子４２は、両端に設けられた各係合部４３の間に、３本の帯状の露出する金属接点４４（充電器側接点）を備えている。この金属接点４４は、携帯電話側金属端子１４と接触して、携帯電話１に電力の供給する接点となる。このように、充電器側充電端子４２は、上述した携帯電話側充電端子１２とほぼ同様の構成を採っている。但し、充電器側充電端子４２の形状は、上記あるいは下記の形状に限定されない。例えば、充電器側係合部４３は、上述したように充電端子４２上の両端に分割して形成されていることに限定されず、さらに多くの箇所に分割して形成されていてもよく、あるいは、一箇所に形成されていてもよい。
【００２７】
そして、上記充電器側係合部４３は、図４（ａ）あるいは図４（ｂ）に示すような嵌合爪５０，６０を有する突起５，６を、１つあるいは複数備えている。そして、これら嵌合爪５０，６０と嵌合する対となる嵌合爪が、上記携帯電話側係合部１３に設けられている。具体的に、上記充電器側係合部４３が、図４（ａ）あるいは図４（ｂ）に示すような雄型の嵌合爪５０，６０等を有する突起５，６を備えている場合には、携帯電話側係合部１３は、上記雄型の嵌合爪５０，６０等に対応して嵌合する雌型の嵌合爪を備えている。これにより、携帯電話側充電端子１２と充電器側充電端子４２との各係合部１３，４３を相互に向かい合わせて接触させて押圧することで、各係合部１３，４３に設けられた嵌合爪が相互に嵌合して固定される。すると、携帯電話側充電端子１２と充電器側充電端子４２との各金属端子１４，４４を相互に接触させることができる。また、各充電端子１２，１３を離間させるよう携帯電話１と充電器３とを相互に引き離すと、嵌合している嵌合爪が容易に外れ、接触状態が解除される。
【００２８】
なお、上記充電器側係合部４３に形成された嵌合爪５０，６０等を有する突起５，６は、充電器本体部３０の載置面３０ａからわずかに突出する高さに形成されている。一方、携帯電話側係合部１３に形成された嵌合爪は、携帯電話１の外表面から突出しない高さに形成されている。このように、相互に嵌合する少なくとも一方の嵌合爪が、形成される表面からわずかに突出していれば、他方と嵌合することが可能となる。
【００２９】
［動作］
次に、上記構成の携帯電話１を充電器３にて充電するときの動作を、図５乃至図６を参照して説明する。まず、携帯電話１を充電する際には、携帯電話側充電端子１２が形成された外表面を、充電器本体部３０の載置面３０ａに向けると共に、各充電端子１２，４２が対向するよう位置合わせを行う。そして、各充電端子１２，４２が接触するよう携帯電話１と充電器３の載置面３０ａに載置する（図５の矢印参照）。
【００３０】
すると、図６に示すように、携帯電話１が充電器３の載置面３０ａに載置されて支持されつつ、各充電端子１２，４２が接触し、さらに携帯電話１を充電器３側に押圧することで、各充電端子１２，４２に設けられた嵌合爪が相互に嵌合して固定される。これにより、携帯電話側充電端子１２と充電器側充電端子４２との各金属接点１４，４４が相互に接触する。すると、電源ケーブル４１ａを介して電力が充電器３から携帯電話１に供給され、当該携帯電話１を充電することができる。なお、充電完了後は、各充電端子１２，１３を離間させるよう携帯電話１と充電器３とを引き離すことで、嵌合している嵌合爪が容易に外れ、接触状態が解除される。
【００３１】
以上より、本実施例によると、各充電端子１２，４２の位置を合わせて、携帯電話１を充電器３の載置面３０ａに載置するといった簡易な操作のみで、充電を行うことができる。また、携帯電話１を載置する載置面３０ａが平坦であるため、携帯電話１があらゆる形状であっても充電器３上に載置でき、充電することができる。従って、充電時における接続操作の容易であり、ユーザの利便性の向上を図ることができると共に、あらゆる携帯電話に対応できるため充電器の汎用性が向上し、低コスト化を図ることができる。
【００３２】
また、各充電端子１２，４２を嵌合して係合するため、これらの固定を容易に行うことができ、より確実に各金属接点１４，４４を接触させることができる。従って、充電の信頼性の向上を図ることができる。さらに、各充電端子１２，４２を嵌合させる構成は、一方のみを携帯電話１あるいは充電器３の表面から突出させることで実現できる。そして、本実施例では、充電器３側の充電端子４２の係合部４３のみが載置面３０ａから突出する嵌合爪を有しているため、携帯電話１側の充電端子１２は、その外表面から突出せずに形成されている。従って、携帯電話１の外表面を平坦に形成でき、デザイン性の向上を図ることができる。但し、上記とは逆に、携帯電話１側の充電端子１２の係合部のみが外表面から突出し、充電器３側の充電端子４２の係合部４３は載置面３０ａから突出せずに構成してもよい。
【実施例２】
【００３３】
次に、本発明の第２の実施例を、図７を参照して説明する。本実施例における携帯電話と充電器とによる充電システムは、上述した実施例１で説明したものとほぼ同様の構成を有する。但し、以下に説明する点が異なる。
【００３４】
図７に示すように、本実施例における充電器の構成の一部である充電器本体部３０の構成が、上記実施例１とは異なる。本実施例における充電器本体部３０は、充電中の携帯電話を載置するためのほぼ平坦な載置面１３０ａを有する略長方形状の板状部材である。そして、充電器本体部１３０には、上述したように充電端子部を収容して配置する機能を有する複数の貫通孔１３１（収容部）が形成されている。例えば、図７の例では、充電器本体部１３０の４隅付近に、各隅からの距離がそれぞれ異なって形成されている。そして、いずれかの貫通孔１３１に、上述した充電端子が形成された充電端子部を収容することで、充電器が構成される。
【００３５】
以上より、充電端子部を収容する貫通孔１３１を変更することで、充電器側の充電端子の載置面上における位置を変更して配置することができる。つまり、充電しようとする携帯電話の充電端子の位置に応じて充電端子部の位置を変更して配置することで、あらゆる携帯電話の充電を、１台の充電器で実現できる。このとき、載置面１３０ａが平坦であるため、外形があらゆる形状の携帯電話も載置して支持することができる。従って、充電器の汎用性が向上し、コストを削減できる。
【００３６】
なお、上記貫通孔１３１は必ずしも貫通して形成されていることに限定されず、充電端子部を収容して、収容時に充電端子が載置面１３０ａとほぼ平坦に位置するよう構成されていればよい。例えば、貫通孔１３１の代わりに、充電端子部を収容する貫通しない凹部（収容部）を複数形成してもよい。
【実施例３】
【００３７】
次に、本発明の第３の実施例を、図８を参照して説明する。本実施例では、上述した携帯電話側の接続端子１２と充電器側の接続端子４２の構成が異なる。以下、携帯電話側の接続端子１２の構成例を説明するが、これに対応した形状に充電器側も接続端子４２も構成されている。
【００３８】
まず、上記では、接続端子１２の両端に係合部１３を有し、その間に３本の金属接点１４を有していたが、金属接点１４の形状や本数は限定されない。例えば、図８（ａ）に示すように、２本の金属接点１４を設けてもよく、図８（ｂ）に示すように、幅広な１本の金属接点を設けてもよい。
【００３９】
また、上記では、接続端子１２の両端に係合部１３を有している場合を例示したが、係合部１３を必ずしも両端に設ける必要はない。例えば、図８（ｃ）に示すように、嵌合爪等の係合手段を有する係合部１３を、接続端子１２の一端側にのみ設け、他の部分に金属接点１４を設けてもよい。このように、金属接点１４を係合部１３で挟んで形成しなくても、携帯電話と充電器との金属接点の接続を実現できる。なお、図示しないが、金属接点１４と係合部１３とを交互に配列して形成するなど、さらに充電端子を他の形状にて形成してもよい。
【産業上の利用可能性】
【００４０】
本発明は、携帯電話やＰＤＡ、電子手帳、ゲーム機などの電子機器を充電するシステムに利用することができ、産業上の利用可能性を有する。
【図面の簡単な説明】
【００４１】
【図１】図１（ａ）は、本発明における携帯電話機の構成を示す図である。図１（ｂ）は、図１（ａ）に開示した充電端子の拡大図である。
【図２】図２（ａ）は、本発明における充電器を構成する充電器本体部の構成を示す図である。図２（ｂ）は、本発明における充電器の構成を示す図である。
【図３】図３（ａ）は、本発明における充電器を構成する充電端子部の構成を示す図である。図３（ｂ）は、図３（ａ）に開示した充電端子の拡大図である。
【図４】図４（ａ），（ｂ）は、それぞれ、本発明における充電端子に設けられる嵌合爪の一例を示す図である。
【図５】本発明において携帯電話を充電器に載置するときの様子を示す図である。
【図６】本発明において携帯電話を充電器に載置したときの様子を示す図である。
【図７】本発明における充電器を構成する充電器本体部の構成の他の例を示す図である。
【図８】図８（ａ），（ｂ），（ｃ）はそれぞれ、本発明における充電端子の他の構成例を示す図である。
【図９】関連する携帯電話の充電方法を示す図である。
【符号の説明】
【００４２】
１  携帯電話
３  充電器
５，６  突起
１０  一方の筐体
１１  Ｉ／Ｏコネクタ
１２  携帯電話側充電端子
１３  携帯電話側係合部
１４  携帯電話側金属接点
２０  他方の筐体
３０  充電器本体部
３０ａ  載置面
３１  貫通孔
４０  充電端子部
４１  充電端子本体部
４１ａ  電源ケーブル
４２  充電器側充電端子
４３  充電器側係合部
４４  充電器側金属接点
５０，６０  嵌合爪
【図１】
0004992611.tif 000002
【図２】
0004992611.tif 000003
【図３】
0004992611.tif 000004
【図４】
0004992611.tif 000005
【図５】
0004992611.tif 000006
【図６】
0004992611.tif 000007
【図７】
0004992611.tif 000008
【図８】
0004992611.tif 000009
【図９】
0004992611.tif 000010